(57)【特許請求の範囲】
【請求項１】
紙葉類の搬送方向の一端に設けられた開閉支点を中心に、下フレームに対して開閉自在に設けられた上フレームを有し、搬送された紙葉類を基準ローラと厚さ検出ローラとで挟持して紙葉類の厚さを検出する紙葉類厚さ検出装置の開閉機構において、
前記下フレームの、前記開閉支点の反対側の端部に設けられた下突当て部と、
前記下フレームの側面に立設された係合ピンと、
前記上フレームに設けられた前記下突当て部に当接する上突当て部と、
前記上フレームの側面に形成された、前記搬送方向を長手方向とした長穴である横スライド穴と、前記搬送方向の直交方向を長手方向とした縦長穴と、
前記縦長穴に嵌合する回動支点と、前記係合ピンに係合する斜面と、操作部とを有し、前記回動支点を中心に回動するロックレバーと、
前記操作部を係止して、前記ロックレバーの前記係合ピンへの係合方向への回動を制限するストッパと、
前記ロックレバーを、前記係合ピンへの係合方向に付勢するバネ部材と、
前記横スライド穴に嵌合するスライド軸と、前記回動支点に嵌合し、前記搬送方向から傾斜した方向を長手方向とする傾斜長穴とを有する調整プレートと、
前記操作部を支持して、前記操作部と前記ストッパとの間に所定の隙間を形成する位置決め治具と、を備え、
前記ロックレバーの回動支点の位置を決定する場合に、前記上突当て部と下突当て部とを当接させ、前記位置決め治具で前記操作部を支持させ、前記ロックレバーの斜面を前記係合ピンに係合させたときに、前記バネ部材による付勢力によって、前記縦長穴と前記傾斜長穴とに嵌合する前記回動支点を移動させて、前記回動支点の位置を決定することを特徴とする紙葉類厚さ検出装置の開閉機構。
【請求項２】
請求項１に記載の紙葉類厚さ検出装置の開閉機構において、
前記調整プレートを、前記上プレートの側面に締結する締結部材を備え、
前記ロックレバーの回動支点の位置を決定する場合に、前記締結部材による締結を緩め、前記回動支点の位置の決定時に、前記回動支点の移動に伴って移動する前記傾斜長穴によって、前記横スライド穴に嵌合する前記スライド軸により前記搬送方向に移動した前記調整プレートを、その位置で前記締結部材で締結して、前記回動支点の位置を決定された位置で確定することを特徴とする紙葉類厚さ検出装置の開閉機構。
【請求項３】
紙葉類の搬送方向の一端に設けられた開閉支点を中心に、下フレームに対して開閉自在に設けられた上フレームを有し、搬送された紙葉類を基準ローラと厚さ検出ローラとで挟持して紙葉類の厚さを検出する紙葉類厚さ検出装置の開閉機構において、
前記下フレームの、前記開閉支点の反対側の端部に設けられた下突当て部と、
前記下フレームの側面に立設された係合ピンと、
前記上フレームに設けられた前記下突当て部に当接する上突当て部と、
前記上フレームの側面に形成された、前記搬送方向を長手方向とした長穴である横スライド穴と、前記搬送方向の直交方向を長手方向とした縦長穴と、
前記縦長穴に嵌合する回動支点と、前記係合ピンに係合する斜面と、操作部と、前記回動支点を挟んで前記操作部の反対側に形成されたアーム部とを有し、前記回動支点を中心に回動するロックレバーと、
前記アーム部を係止して、前記ロックレバーの前記係合ピンへの係合方向への回動を制限するストッパと、
前記ロックレバーを、前記係合ピンへの係合方向に付勢するバネ部材と、
前記横スライド穴に嵌合するスライド軸と、前記回動支点に当接し、前記搬送方向から所定の角度で傾斜した傾斜面とを有する調整プレートと、
前記操作部を支持して、前記アーム部と前記ストッパとの間に所定の隙間を形成する位置決め治具と、を備え、
前記ロックレバーの回動支点の位置を決定する場合に、前記上突当て部と下突当て部とを当接させ、前記位置決め治具で前記操作部を支持させ、前記ロックレバーの斜面を前記係合ピンに係合させたときに、前記バネ部材による付勢力によって、前記縦長穴に嵌合する前記回動支点を移動させて、前記回動支点の位置を決定することを特徴とする紙葉類厚さ検出装置の開閉機構。
【請求項４】
請求項３に記載の紙葉類厚さ検出装置の開閉機構において、
前記調整プレートを、前記上プレートの側面に締結する締結部材を備え、
前記ロックレバーの回動支点の位置を決定する場合に、前記締結部材による締結を緩め、前記回動支点の位置の決定時に、前記横スライド穴に嵌合する前記スライド軸により前記調整プレートを移動させて前記傾斜面を前記回動支点に当接させ、その位置で前記調整プレートを前記締結部材で締結して、前記ロックレバーの回動支点の位置を確定することを特徴とする紙葉類厚さ検出装置の開閉機構。
【発明の詳細な説明】
【技術分野】
【０００１】
本発明は、現金処理装置等の自動取引装置における紙幣等の紙葉類の厚さを検出する紙葉類厚さ検出装置に関する。
【背景技術】
【０００２】
従来の紙葉類厚さ検知装置は、下フレームの、紙葉類の搬送方向の一端に設けられた開閉支点を中心に開閉可能に構成された上フレームと、搬送された紙葉類を挟持して搬送する複数の搬送ローラと、挟持した紙葉類の厚さを検知する検知ローラおよび基準ローラと、上フレームの閉鎖時に上フレームを下フレームにロックするロック機構とを備え、下フレームと上フレームとの間に設けた弾性体によって、閉鎖時の下フレームと上フレームとの間に予圧を付与し、開閉支点の軸受に存在する嵌め合い公差による隙間を吸収して、上フレームの開閉に伴う検知ローラと基準ローラとの間の距離の上下方向の変動を防止している。
【０００３】
この紙葉類厚さ検出装置に用いられているロック機構は、上フレームに設けられた回動支点を中心に回動可能に支持された「く」の字状のロックレバーと、回動支点の反対側の端部に設けられた斜面を有する切欠部と、下フレームに設けられた係合ピンとを備え、上フレームの閉鎖時に、ロックレバーを回動支点を中心に回動させ、その切欠部の斜面を係合ピンに係合させて、上フレームを下フレームに固定している（例えば、特許文献１参照。）。
【０００４】
このような、斜面を係合ピンに係合させるロック機構においては、複数の搬送ローラの押圧力による反力、検知ローラと基準ローラとの押圧力による反力、および弾性体による反力を全て受止める必要があるため、切欠部の斜面の紙葉類の搬送方向から測った傾斜角θ（図１参照）は小さくする必要があり、また、上フレームと下フレームとの位置精度を正確にするためにも、傾斜角θは小さくする必要がある。
【０００５】
この傾斜角θを小さくするためには、回動支点と係合ピンの位置精度が不足すると、回動支点を中心にロックレバーを回動させたときの斜面の軌跡に、下フレームの係合ピンを含まなくなる場合があるため、一般的に、回動支点および／もしくは係合ピンを、回転軸に軸芯を偏心させた回転頭部を形成した偏心ピンとし、位置の調整後に回転軸をナット等の締結部材で固定する偏心調整機構を設けることが行われている（例えば、特許文献２参照。）。
【先行技術文献】
【特許文献】
【０００６】
【特許文献１】特開２００２−１７９２８９号公報（段落００１７、００２４−００２５、００７５−００７９、第１図、第７図）
【特許文献２】特開平７−９７０８０号公報（段落００４２−００５２、第１図、第３図）
【発明の概要】
【発明が解決しようとする課題】
【０００７】
しかしながら、上述した偏心調整機構を回動支点または係合ピンに設けると、上フレームと下フレームとの位置を所定の範囲内に調整するためには、複雑な調整が伴い、紙葉類厚さ検出装置の組立に時間を要するという問題点がある。
また、回動支点にはロックレバーの回動時の負荷および斜面の係合ピンへの係合時の負荷が、係合ピンには斜面の係合ピンへの係合時の負荷がかかるため、これら負荷が繰返し加えられると、締結部材による締結に緩みが生ずるという問題がある。
【０００８】
本発明は、上記の問題点を解決するためになされたもので、ロックレバーの位置決めを容易にすると共に、締結部材による締結に発生する緩みを抑制する手段を提供することを目的とする。
【課題を解決するための手段】
【０００９】
本発明は、上記課題を解決するために、紙葉類の搬送方向の一端に設けられた開閉支点を中心に、下フレームに対して開閉自在に設けられた上フレームを有し、搬送された紙葉類を基準ローラと厚さ検出ローラとで挟持して紙葉類の厚さを検出する紙葉類厚さ検出装置の開閉機構において、前記下フレームの、前記開閉支点の反対側の端部に設けられた下突当て部と、前記下フレームの側面に立設された係合ピンと、前記上フレームに設けられた前記下突当て部に当接する上突当て部と、前記上フレームの側面に形成された、前記搬送方向を長手方向とした長穴である横スライド穴と、前記搬送方向の直交方向を長手方向とした縦長穴と、前記縦長穴に嵌合する回動支点と、前記係合ピンに係合する斜面と、操作部とを有し、前記回動支点を中心に回動するロックレバーと、前記操作部を係止して、前記ロックレバーの前記係合ピンへの係合方向への回動を制限するストッパと、前記ロックレバーを、前記係合ピンへの係合方向に付勢するバネ部材と、前記横スライド穴に嵌合するスライド軸と、前記回動支点に嵌合し、前記搬送方向から傾斜した方向を長手方向とする傾斜長穴とを有する調整プレートと、前記操作部を支持して、前記操作部と前記ストッパとの間に所定の隙間を形成する位置決め治具と、を備え、前記ロックレバーの回動支点の位置を決定する場合に、前記上突当て部と下突当て部とを当接させ、前記位置決め治具で前記操作部を支持させ、前記ロックレバーの斜面を前記係合ピンに係合させたときに、前記バネ部材による付勢力によって、前記縦長穴と前記傾斜長穴とに嵌合する前記回動支点を移動させて、前記回動支点の位置を決定することを特徴とする。
【発明の効果】
【００１０】
これにより、本発明は、回動支点の位置を自動的に決定して、ロックレバーの位置調整を容易に行うことができると共に、紙葉類厚さ検出装置の使用時における繰返し負荷を主に上フレームで受けて、締結部材による締結に発生する緩みを抑制することができるという効果が得られる。
【図面の簡単な説明】
【００１１】
【図１】実施例１の紙葉類厚さ検出装置の側面から見た外観を示す説明図
【図２】実施例１の締結部材の図１のＡ−Ａ断面線に沿った断面を示す説明図
【図３】実施例１のロックレバーの位置調整動作を示す説明図
【図４】実施例２の紙葉類厚さ検出装置の側面から見た外観を示す説明図
【図５】実施例２の紙葉類厚さ検出装置の上フレームの開放状態を示す説明図
【図６】実施例２のロックレバーの位置調整動作を示す説明図
【図７】実施例２のロックレバーのオートロック動作を示す説明図
【発明を実施するための形態】
【００１２】
以下に、図面を参照して本発明による紙葉類厚さ検出装置の開閉機構の実施例について説明する。
【実施例１】
【００１３】
図１において、１は紙葉類厚さ検出装置であり、上フレーム２が下フレーム３に対して、その一端に設けられた開閉支点４を中心に開閉可能に構成された筐体であって、下フレーム３に設けられた基準ローラ６と、上フレーム２に設けられ、基準ローラ６を押圧力Ｐｃｈで押圧している厚さ検出ローラ７との間で、搬送された紙幣等の紙葉類を挟持してその厚さを検出し、その紙葉類の重送や紙葉類に貼付されたテープの有無等を判定するために用いられる。
【００１４】
また、紙葉類厚さ検出装置には、図１に矢印Ｂで示す紙葉類の搬送方向（以下単に、搬送方向Ｂという。）に沿って、下フレーム３に取付けられた駆動ローラと、上フレーム２に取付けられたプレッシャローラとで構成された一対のローラからなる搬送ローラ８ａ、８ｂが設けられ、各搬送ローラ８のプレッシャローラは駆動ローラを押圧力Ｐで押圧している。
【００１５】
本実施例の上フレーム２は、これを上から押して閉鎖したときに、開閉支点４の搬送方向Ｂの反対側の端部に設けられた上フレーム２の上突当て部１０と下フレーム３の下突当て部１１とが当接した状態で自動的にロックがかかるオートロック機構により下フレーム３に固定される。
本実施例のオートロック機構は、操作部１３ａを有するロックレバー１３、上フレーム２の閉鎖時にロックレバー１３を係合する係合ピン１４、バネ部材１５、ストッパ１６等から構成される。
【００１６】
ロックレバー１３は、上フレーム２の両側面の外側にそれぞれ設けられたＴ字状の板状部材であって、その第１の端部に固定された回動支点１７を中心に回動可能に構成され、その第２の端部側には操作部１３ａが設けられ、第１および第２の端部の中央部に設けられた係合部１３ｂの端部である第３の端部には、その先端にオートロック機構を作動させるための傾斜部１８が設けられている。
【００１７】
また、傾斜部１８の上フレーム２側には、上フレーム２の閉鎖時に、下フレーム３の側面の外側に立設された係合ピン１４に係合する、開閉支点４に向かって搬送方向Ｂから下る方向に傾斜した斜面１９が形成されており、係合ピン１４と斜面１９との係合を解除する場合は、操作部１３ａによって、ロックレバー１３を回動支点１７を中心に斜面１９を係合ピン１４に係合させる方向（図３に示す矢印Ｃ方向、係合方向Ｃという。）と逆方向に回動させる。
【００１８】
また、ロックレバー１３は、係合部１３ｂの中央部と上フレーム２との間に取付けられた引張コイルスプリング等のバネ部材１５により引っ張られており、その斜面１９を回動支点１７を中心に係合方向Ｃに回動させる方向に付勢されている。
ストッパ１６は、上フレーム２の側面の操作部１３ａの下方に設けられ、その上面によって操作部１３ａを係止して、ロックレバー１３の係合ピン１４への係合方向Ｃへの回動を制限する機能を有している。
【００１９】
本実施例の上フレーム２の側面の内側には、回動支点１７の位置を調整するための調整プレート２０が設けられ、その調整プレート２０には、上フレーム２の側面に設けられた、搬送方向Ｂを長手方向とする矩形の長穴である横スライド穴２１に嵌合するスライド軸２２が設けられ、図２に示すように、スライド軸２２は、圧入やロウ付け等の固定手段で調整プレート２０に固定されている。
【００２０】
また、スライド軸２２の先端部にはネジ部２２ａが設けられ、そのネジ部２２ａに螺合する締結部材としてのナット２３で、ワッシャ２４を介して上フレーム２の側面の内側に調整プレート２０を締結するようになっている。
これにより、調整プレート２０は、上フレーム２に対して搬送方向Ｂに移動可能に支持されると共に、移動を止める場合には、ナット２３によって、上フレーム２の側面に締結され固定される。
【００２１】
また、上フレーム２の側面には、図１に示すように、ロックレバー１３の回動支点１７を嵌合させる、搬送方向Ｂの直交方向Ｄ（図３参照）を長手方向とする矩形の縦長穴２６が設けられ、調整プレート２０には、回動支点１７を嵌合させる、搬送方向Ｂから所定の角度で、開閉支点４に向かって搬送方向Ｂから下る方向に傾斜した方向を長手方向とする矩形の傾斜長穴２７が設けられており、これら縦長穴２６と傾斜長穴２７とを組合せることで、４点（実際には２点）で、回動支点１７を回動可能に支持するように構成されている。
【００２２】
本実施例の開閉機構は、上記したオートロック機構に加えて、上フレーム２、下フレーム３、開閉支点４、上フレーム２の横スライド穴２１と縦長穴２６、調整プレート２０、そのスライド軸２２と傾斜長穴２７等により構成される。
このような開閉機構を有する紙葉類厚さ検出装置１は、上フレーム２の開放時には、ロックレバー１３がバネ部材１５により引っ張られ、上フレーム２の側面に設けられたストッパ１６により操作部１３ａが係止された状態で停止する。
【００２３】
また、上フレーム２の閉鎖時には、上フレーム２に設けられた上突当て部１０と、下フレーム３に設けられた下突当て部１１とが当接した状態で、ロックレバー１３の係合部１３ｂに設けられた斜面１９が下フレーム３に固定された係合ピン１４に係合され、各搬送ローラ８の駆動ローラとプレッシャローラ、および基準ローラ６と厚さ検出ローラ７が押圧状態になり、紙葉類の搬送方向Ｂへの往復搬送が可能になる。
【００２４】
更に、上フレーム２の閉鎖時には、ロックレバー１３の斜面１９が係合ピン１４に係合された状態でバネ部材１５により引っ張られ、斜面１９の傾斜角θによる直交方向Ｄの分力により上フレーム２が下フレーム３に押付けられ、開閉支点４の軸受に存在する隙間が吸収される。
この場合に、バネ部材１５の付勢力Ｆｓｐは、上フレーム２の閉鎖時に、各搬送ローラ８の押圧力Ｐの合計と厚さ検出ローラ７の押圧力Ｐｃｈを押さえ込むことのできるように設定される。
【００２５】
一方、ロックレバー１３によるロックを、操作者が容易に解除するためには、ロックレバー１３の操作部１３ａに加える操作力Ｆｏｐをできるだけ小さくすることが望ましく、そのためにはバネ部材１５の付勢力Ｆｓｐを小さく設定する必要がある。
この操作力Ｆｏｐを小さくし、バネ部材１５の付勢力Ｆｓｐが小さい状態で各搬送ローラ８の押圧力Ｐの合計と厚さ検出ローラ７の押圧力Ｐｃｈを押さえ込むために、本実施例のロックレバー１３の斜面１９の傾斜角θは小さく設定されている。
【００２６】
以下に、図３を用いて、本実施例のロックレバー１３の回動支点１７の位置調整について説明する。
本実施例のロックレバー１３の位置調整は、図３に示すように、上フレーム２の上突当て部１０と下フレーム３の下突当て部１１とを当接させた状態で、ストッパ１６の上面とロックレバー１３の操作部１３ａの下面との間に所定の隙間を形成するように操作部１３ａを下方から支持する位置決め治具２９を上フレーム２の側面の外側で、操作部１３ａの下方に設置して行う。
【００２７】
紙葉類厚さ検出装置１の組立の際に、ロックレバー１３の位置を調整する場合は、まず、調整プレート２０と上フレーム２とを締結しているスライド軸２２に設けられたナット２３を緩め、上突当て部１０と下突当て部１１とを当接させ、位置決め治具２９を、ストッパ１６とロックレバー１３との間の操作部１３ａの下方に設置する。
【００２８】
このとき、ロックレバー１３は、その操作部１３ａとストッパ１６との間に所定の隙間を形成した状態で、回動支点１７を中心に係合方向Ｃおよびその逆方向に回動可能に支持され、調整プレート２０は、そのスライド軸２２が上フレーム２の横スライド穴２１に沿って搬送方向Ｂに移動可能に支持され、その傾斜長穴２７に嵌合している回動支点１７は、上フレーム２の縦長穴２６に沿って直交方向Ｄに移動可能になっている。
【００２９】
これにより、ロックレバー１３は、バネ部材１５の付勢力Ｆｓｐにより引っ張られ、かつ位置決め治具２９で操作部１３ａを支持されているため係合方向Ｃに回転し、斜面１９が係合ピン１４に係合する位置まで、回動支点１７が傾斜長穴２７を押しながら縦長穴２６に沿って直交方向Ｄに自動的に移動し、上フレーム２に対する回動支点１７の高さおよび搬送方向Ｂの位置が決まる。
【００３０】
また、調整プレート２０は、傾斜長穴２７が嵌合している回動支点１７に押されて、横スライド穴２１にガイドされながらスライド軸２２が搬送方向Ｂに移動し、調整プレート２０の搬送方向Ｂの位置が決まる。
この状態で、組立作業者は、調整プレート２０と上フレーム２とをナット２３により締結して調整プレート２０を上フレーム２に固定し、ロックレバー１３の位置決め治具２９を取外して回動支点１７の位置調整を完了させる。
【００３１】
このようにして回動支点１７の位置が確定された紙葉類厚さ検出装置１は、ロックレバー１３の操作部１３ａに操作力Ｆｏｐ（図１参照）を加えれば、上フレーム２が開放され、上フレーム２のストッパ１６に操作部１３ａが係止された状態で停止する。
【００３２】
また、上フレーム２の閉鎖時には、開放された上フレーム２の開閉支点４と反対側の端部を上から押せば、ロックレバー１３の操作部１３ａがストッパ１６に当接した状態のまま、ロックレバー１３の係合部１３ｂの先端の傾斜部１８が係合ピン１４に押付けられ、更に上フレーム２を押込むと、回動支点１７が縦長穴２６と調整プレート２０の傾斜長穴２７に支持された状態で、ロックレバー１３がバネ部材１５の付勢力Ｆｓｐに抗して回動支点１７を中心に係合方向Ｃの逆方向に回動し、斜面１９が係合ピン１４の位置まで移動すると、ロックレバー１３がバネ部材１５の付勢力Ｆｓｐに引っ張られて回動支点１７を中心に係合方向Ｃに回動し、斜面１９が係合ピン１４に自動的に係合して上突当て部１０と下突当て部１１とが当接した状態で上フレーム２が閉鎖され、各搬送ローラ８の押圧力Ｐおよび厚さ検出ローラ７の押圧力Ｐｃｈを規定の押圧力となり、紙葉類の厚さの検出が可能になる。
【００３３】
上記のように、本実施例では、スライド軸２２と横スライド穴２１とからなる搬送方向Ｂのスライド機構を設けた調整プレート２０の傾斜長穴２７と上フレーム２に設けた縦長穴２６との組合せで回動支点１７を支持し、上突当て部１０と下突当て部１１を突当て、ロックレバー１３の操作部１３ａを位置決め治具２９にて支持することで、回動支点１７が、調整プレート２０を搬送方向Ｂに移動させながら縦長穴２６に沿って移動し、回動支点１７の位置が自動的に決まると共に、調整プレート２０を移動した位置で締結するので、ロックレバー１３の位置調整を容易に行うことができる。
【００３４】
また、調整プレート２０の傾斜長穴２７と上フレーム２の縦長穴２６の組合せで回動支点１７を支持し、調整プレート２０に固定したスライド軸２２を上フレーム２の横スライド穴２１に嵌合させているため、上フレーム２の開閉時のロックレバー１３による負荷を、主に上フレーム２に設けた縦長穴２６と、傾斜長穴２７、スライド軸２２を介して上フレーム２に設けた横スライド穴２１とで受けることができ、紙葉類厚さ検出装置１の使用時における繰返し負荷により発生する締結部材の緩みを抑制することができる。
【００３５】
なお、本実施例では、傾斜長穴２７は、搬送方向Ｂから所定の角度で、開閉支点４に向かって搬送方向Ｂから下る方向に傾斜した方向を長手方向とする長穴であるとして説明したが、傾斜方向は逆方向であってもよい。
また、横スライド穴２１、縦長穴２６、傾斜長穴２７は、矩形の長穴であるとして説明したが、矩形の一の短辺とその両側の２つの長辺とに内接する半円弧を長手方向の両側に形成した長円形の長穴であってもよい。
【００３６】
以上説明したように、本実施例では、紙葉類の搬送方向Ｂの一端に設けられた開閉支点を中心に、下フレームに対して開閉自在に設けられた上フレームを有し、搬送された紙葉類を基準ローラと厚さ検出ローラとで挟持して紙葉類の厚さを検出する紙葉類厚さ検出装置の開閉機構が、下フレームの、開閉支点の反対側の端部に設けられた下突当て部と、下フレームの側面に立設された係合ピンと、上フレームに設けられた下突当て部に当接する上突当て部と、上フレームの側面に形成された搬送方向Ｂを長手方向とした長穴である横スライド穴と、搬送方向Ｂの直交方向Ｄを長手方向とした縦長穴と、縦長穴に嵌合する回動支点と、係合ピンに係合する斜面と、操作部とを有し回動支点を中心に回動するロックレバーと、操作部を係止してロックレバーの係合ピンへの係合方向への回動を制限するストッパと、ロックレバーを係合ピンへの係合方向に付勢するバネ部材と、横スライド穴に嵌合するスライド軸と、回動支点に嵌合し搬送方向Ｂから傾斜した方向を長手方向とする傾斜長穴とを有する調整プレートと、調整プレートを上プレートの側面に締結する締結部材と、操作部を支持して操作部とストッパとの間に所定の隙間を形成する位置決め治具と、を備え、ロックレバーの回動支点の位置を決定する場合に、締結部材による締結を緩め、上突当て部と下突当て部とを当接させ、位置決め治具で操作部を支持させ、ロックレバーの斜面を係合ピンに係合させたときに、バネ部材による付勢力によって縦長穴と傾斜長穴とに嵌合する回動支点を移動させて回動支点の位置を決定し、回動支点の移動に伴って移動する傾斜長穴によって、スライド穴に嵌合するスライド軸により搬送方向Ｂに移動した調整プレートを締結部材で締結して、回動支点の位置を決定された位置で確定するようにしてことによって、回動支点の位置を自動的に決定して、ロックレバーの位置調整を容易に行うことができると共に、紙葉類厚さ検出装置の使用時における繰返し負荷を主に上フレームで受けて、締結部材による締結に発生する緩みを抑制することができる。
【実施例２】
【００３７】
以下に、図４ないし図７を用いて本実施例の紙葉類厚さ検出装置の開閉機構について説明する。
なお、上記実施例１と同様の部分は、同一の符号を付してその説明を省略する。
本実施例の調整プレート２０には、図４に示すように、回動支点１７を当接させる、搬送方向Ｂから所定の角度で開閉支点４に向かって搬送方向Ｂから下る方向に傾斜した傾斜面３１が設けられており、縦長穴２６と傾斜面３１とを組合せることで、回動支点１７を搬送方向Ｂの両側と下側の３点で回動可能に支持するように構成されている。
【００３８】
また、本実施例のロックレバー１３には、回動支点１７を挟んで第２の端部側に設けられた操作部１３ａの反対側に形成されたアーム部１３ｃが設けられ、そのアーム部１３ｃの端部である第４の端部は、上フレーム２の側面の回動支点１７と開閉支点４との間に設けられたストッパ３３の下面に係止される。
【００３９】
また、ストッパ３３は、上記実施例１のストッパ１６と同様に、ロックレバー１３の係合ピン１４への係合方向Ｃへの回動を制限する機能を有している。
なお、本実施例のロックレバー１３の斜面１９と係合ピン１４との係合を解除する場合は、上記実施例１と同様に、操作部１３ａによって、ロックレバー１３を回動支点１７を中心に斜面１９を係合方向Ｃと逆方向に回動させることによって行う。
【００４０】
本実施例のオートロック機構は、アーム部１３ｃを有するロックレバー１３、係合ピン１４、バネ部材１５、ストッパ３３等から構成される。
また、開閉機構は、前記オートロック機構に加えて、上フレーム２、下フレーム３、開閉支点４、上フレーム２の横スライド穴２１と縦長穴２６、調整プレート２０、そのスライド軸２２と傾斜面３１等により構成される。
【００４１】
本実施例の開閉機構を有する紙葉類厚さ検出装置１は、上フレーム２の開放時には、図５に示すように、ロックレバー１３がバネ部材１５により引っ張られ、上フレーム２の側面に設けられたストッパ３３によりアーム部１３ｃが係止された状態で停止する。
【００４２】
以下に、図６を用いて、本実施例のロックレバー１３の回動支点１７の位置調整について説明する。
本実施例の紙葉類厚さ検出装置１の組立の際に、ロックレバー１３の位置を調整する場合は、まず、調整プレート２０と上フレーム２とを締結しているスライド軸２２に設けられたナット２３を緩め、上突当て部１０と下突当て部１１とを当接させ、上記実施例１と同様の位置決め治具２９を、ロックレバー１３の操作部１３ａの下方に設置する。
【００４３】
このとき、ロックレバー１３は、そのアーム部１３ｃとストッパ３３との間に所定の隙間を形成した状態で、ロックレバー１３を、回動支点１７を中心に係合方向Ｃおよびその逆方向に回動可能として支持され、調整プレート２０は、そのスライド軸２２が上フレーム２の横スライド穴２１に沿って搬送方向Ｂに移動可能に支持され、回動支点１７は、上フレーム２の縦長穴２６に沿って直交方向Ｄに移動可能になっている。
【００４４】
これにより、ロックレバー１３は、バネ部材１５の付勢力Ｆｓｐにより引っ張られ、かつ位置決め治具２９で操作部１３ａを支持されているため係合方向Ｃに回転し、斜面１９が係合ピン１４に係合する位置まで、回動支点１７が縦長穴２６に沿って直交方向Ｄに自動的に移動し、上フレーム２に対する回動支点１７の高さおよび搬送方向Ｂの位置が決まる。
【００４５】
この状態で、組立作業者は、スライド軸２２を横スライド穴２１にガイドさせて調整プレート２０を搬送方向Ｂに移動させ、その傾斜面３１を回動支点１７に当接させて、調整プレート２０の搬送方向Ｂの位置を決め、調整プレート２０と上フレーム２とをナット２３により締結して調整プレート２０を上フレーム２に固定し、ロックレバー１３の位置決め治具２９を取外して回動支点１７の位置調整を完了させる。
【００４６】
このようにして回動支点１７の位置が確定された紙葉類厚さ検出装置１は、ロックレバー１３の操作部１３ａに操作力Ｆｏｐ（図１参照）を加えれば、上フレーム２が開放され、上フレーム２のストッパ３３にアーム部１３ｃが係止された状態で停止する（図５参照）。
【００４７】
また、上フレーム２の閉鎖時には、図７に示すように、開放された上フレーム２の開閉支点４と反対側の端部を力Ｆｃで上から押せば、ロックレバー１３のアーム部１３ｃがストッパ３３に当接した状態のまま、ロックレバー１３の係合部１３ｂの先端の傾斜部１８が係合ピン１４に押付けられ、回動支点１７は縦長穴２６に沿って図７に矢印Ｅで示す上方向にその上側の短辺に当接するまで移動し、更に上フレーム２を押込むと、ロックレバー１３がバネ部材１５の付勢力Ｆｓｐに抗して回動支点１７を中心に係合方向Ｃの逆方向である矢印Ｇ方向に回動し、斜面１９が係合ピン１４の位置まで移動すると、ロックレバー１３がバネ部材１５の付勢力Ｆｓｐに引っ張られて回動支点１７を中心に係合方向Ｃに回動し、斜面１９が係合ピン１４に自動的に係合して上突当て部１０と下突当て部１１とが当接した状態で上フレーム２が閉鎖され、各搬送ローラ８の押圧力Ｐおよび厚さ検出ローラ７の押圧力Ｐｃｈを規定の押圧力となり、紙葉類の厚さの検出が可能になる。
【００４８】
上記のように、本実施例では、上フレーム２に設けた縦長穴２６に回動支点１７を嵌合させ、上突当て部１０と下突当て部１１とを突当て、ロックレバー１３の操作部１３ａを位置決め治具２９にて支持することで、回動支点１７が、縦長穴２６に沿って移動して回動支点１７の位置が自動的に決まり、スライド軸２２と横スライド穴２１とからなる搬送方向Ｂのスライド機構を設けた調整プレート２０を搬送方向Ｂに移動させて、その傾斜面３１を回動支点１７に当接させ、その位置で調整プレート２０を締結するので、ロックレバー１３の位置調整を容易に行うことができる。
【００４９】
また、調整プレート２０の傾斜面３１と上フレーム２の縦長穴２６とを組合せて回動支点１７を搬送方向Ｂの両側と下側の３点で支持し、調整プレート２０に固定したスライド軸２２を上フレーム２の横スライド穴２１に嵌合させているため、上フレーム２の開閉時のロックレバー１３による負荷を、主に上フレーム２に設けた縦長穴２６と、傾斜面３１を介して上フレーム２に設けた横スライド穴２１とで受けることができると共に、上フレーム２の閉作動時にロックレバー１３の係合部１３ｂの先端が係合ピン１４に当接してから、回動支点１７が縦長穴２６の上側の短辺に当たるまで移動するため、上フレ−ム２を閉鎖するまでの時間が長くなり、ロックレバー１３の回動支点１７にかかる衝撃負荷を低減することができ、紙葉類厚さ検出装置１の使用時における繰返し負荷により発生する締結部材の緩みを更に抑制することができる。
【００５０】
なお、本実施例では、傾斜面３１は、搬送方向Ｂから所定の角度で、開閉支点４に向かって搬送方向Ｂから下る方向に傾斜させるとして説明したが、傾斜方向は逆方向であってもよい。
また、横スライド穴２１、縦長穴２６は、矩形の長穴であるとして説明したが、矩形の一の短辺とその両側の２つの長辺とに内接する半円弧を長手方向の両側に形成した長円形の長穴であってもよい。
【００５１】
以上説明したように、本実施例では、紙葉類の搬送方向Ｂの一端に設けられた開閉支点を中心に、下フレームに対して開閉自在に設けられた上フレームを有し、搬送された紙葉類を基準ローラと厚さ検出ローラとで挟持して紙葉類の厚さを検出する紙葉類厚さ検出装置の開閉機構が、下フレームの、開閉支点の反対側の端部に設けられた下突当て部と、下フレームの側面に立設された係合ピンと、上フレームに設けられた下突当て部に当接する上突当て部と、上フレームの側面に形成された、搬送方向Ｂを長手方向とした長穴である横スライド穴と、搬送方向Ｂの直交方向Ｄを長手方向とした縦長穴と、縦長穴に嵌合する回動支点と、係合ピンに係合する斜面と、操作部と、回動支点を挟んで操作部の反対側に形成されたアーム部とを有し回動支点を中心に回動するロックレバーと、アーム部を係止してロックレバーの係合ピンへの係合方向への回動を制限するストッパと、ロックレバーを係合ピンへの係合方向に付勢するバネ部材と、横スライド穴に嵌合するスライド軸と、回動支点に当接し搬送方向Ｂから所定の角度で傾斜した傾斜面とを有する調整プレートと、調整プレートを上プレートの側面に締結する締結部材と、操作部を支持してアーム部とストッパとの間に所定の隙間を形成する位置決め治具と、を備え、ロックレバーの回動支点の位置を決定する場合に、締結部材による締結を緩め、上突当て部と下突当て部とを当接させ、位置決め治具で操作部を支持させ、ロックレバーの斜面を係合ピンに係合させたときに、バネ部材による付勢力によって、縦長穴に嵌合する回動支点を移動させて回動支点の位置を決定し、横スライド穴に嵌合するスライド軸により調整プレートを移動させて傾斜面を回動支点に当接させた位置で調整プレートを締結部材で締結して、ロックレバーの回動支点の位置を確定するので、回動支点の位置を自動的に決定して、ロックレバーの位置調整を容易に行うことができると共に、紙葉類厚さ検出装置の使用時における繰返し負荷を主に上フレームで受けて、締結部材による締結に発生する緩みを抑制することができる。
【００５２】
また、上フレームの閉作動時に、ロックレバーの係合部の先端の傾斜部が係合ピンに当接してから、回動支点が縦長穴の上側の短辺に当たるまで移動するので、上フレ−ムを閉鎖するまでの時間が長くなり、ロックレバーの回動支点にかかる衝撃負荷を低減することができる。
【符号の説明】
【００５３】
１    紙葉類厚さ検出装置
２    上フレーム
３    下フレーム
４    開閉支点
６    基準ローラ
７    厚さ検出ローラ
８、８ａ、８ｂ  搬送ローラ
１０  上突当て部
１１  下突当て部
１３  ロックレバー
１３ａ  操作部
１３ｂ  係合部
１３ｃ  アーム部
１４  係合ピン
１５  バネ部材
１６、３３  ストッパ
１７  回動支点
１８  傾斜部
１９  斜面
２０  調整プレート
２１  横スライド穴
２２  スライド軸
２２ａ  ネジ部
２３  ナット
２４  ワッシャ
２６  縦長穴
２７  傾斜長穴
２９  位置決め治具
３１  傾斜面
【図１】
0005561082.tif 000002
【図２】
0005561082.tif 000003
【図３】
0005561082.tif 000004
【図４】
0005561082.tif 000005
【図５】
0005561082.tif 000006
【図６】
0005561082.tif 000007
【図７】
0005561082.tif 000008